(57)【特許請求の範囲】
【請求項１】
管状の金属製の本体部材と、
この本体部材の先端部に設けられた金属製の支軸部材と、
この支軸部材にて回動可能に支持された金属製の先端部材と、
前記本体部材を覆う筒状の絶縁本体カバー部材と、
前記先端部材を覆う筒状の絶縁先端カバー部材と、
前記絶縁本体カバー部材の外周面と前記絶縁先端カバー部材の外周面とに跨るように設けられた弾性変形可能な筒状の絶縁カバー弾性部材とを備え、
前記絶縁カバー弾性部材は、前記絶縁本体カバー部材および前記絶縁先端カバー部材よりも柔軟性のある軟質の材料にて形成されている
ことを特徴とする絶縁トルクレンチ。
【請求項２】
絶縁カバー弾性部材は、
絶縁本体カバー部材の被取付部に取り付けられた本体側取付部と、
絶縁先端カバー部材の被取付部に取り付けられた先端側取付部とを有し、
前記本体側取付部および前記絶縁本体カバー部材の被取付部のいずれか一方は、本体側嵌合凸部を有し、
前記本体側取付部および前記絶縁本体カバー部材の被取付部のいずれか他方は、前記本体側嵌合凸部と嵌合する本体側嵌合凹部を有し、
前記先端側取付部および前記絶縁先端カバー部材の被取付部のいずれか一方は、先端側嵌合凸部を有し、
前記先端側取付部および前記絶縁先端カバー部材の被取付部のいずれか他方は、前記先端側嵌合凸部と嵌合する先端側嵌合凹部を有する
ことを特徴とする請求項１記載の絶縁トルクレンチ。
【発明の詳細な説明】
【技術分野】
【０００１】
本発明は、被締付ねじを設定締付トルク値で締め付けるための絶縁トルクレンチに関するものである。
【背景技術】
【０００２】
従来、例えば特許文献１に記載されたトルクレンチが知られている。
【０００３】
この従来のトルクレンチは、後端部をテーパ形状にした管状の金属製の本体部材と、この本体部材の先端部に設けられた金属製の支軸部材と、この支軸部材にて回動可能に支持された金属製の先端部材とを備えている。
【０００４】
また、管状の本体部材内には、被締付ねじに対する締付トルクが設定締付トルク値未満では先端部材の回動を規制しかつその締付トルクが設定締付トルク値に達すると先端部材の回動を許容して作業者に設定締付トルク値に達したことを知らせる締付トルク設定手段（図示せず）が配設されている。
【先行技術文献】
【特許文献】
【０００５】
【特許文献１】実開平５−８５５５４号公報（図１、図２）
【発明の概要】
【発明が解決しようとする課題】
【０００６】
ところで、近年、例えば車両等のハイブリッド化、電気自動車化等が進む中で、その製造や修理においては絶縁工具が必須であり、被締付ねじを設定締付トルク値に達するまで安全に締め付けることができる絶縁トルクレンチが求められている。
【０００７】
本発明は、このような点に鑑みなされたもので、被締付ねじを設定締付トルク値に達するまで安全に締め付けることができる絶縁トルクレンチを提供することを目的とする。
【課題を解決するための手段】
【０００８】
請求項１記載の絶縁トルクレンチは、管状の金属製の本体部材と、この本体部材の先端部に設けられた金属製の支軸部材と、この支軸部材にて回動可能に支持された金属製の先端部材と、前記本体部材を覆う筒状の絶縁本体カバー部材と、前記先端部材を覆う筒状の絶縁先端カバー部材と、前記絶縁本体カバー部材の外周面と前記絶縁先端カバー部材の外周面とに跨るように設けられた弾性変形可能な筒状の絶縁カバー弾性部材とを備え、前記絶縁カバー弾性部材は、前記絶縁本体カバー部材および前記絶縁先端カバー部材よりも柔軟性のある軟質の材料にて形成されているものである。
【０００９】
請求項２記載の絶縁トルクレンチは、請求項１記載の絶縁トルクレンチにおいて、絶縁カバー弾性部材は、絶縁本体カバー部材の被取付部に取り付けられた本体側取付部と、絶縁先端カバー部材の被取付部に取り付けられた先端側取付部とを有し、前記本体側取付部および前記絶縁本体カバー部材の被取付部のいずれか一方は、本体側嵌合凸部を有し、前記本体側取付部および前記絶縁本体カバー部材の被取付部のいずれか他方は、前記本体側嵌合凸部と嵌合する本体側嵌合凹部を有し、前記先端側取付部および前記絶縁先端カバー部材の被取付部のいずれか一方は、先端側嵌合凸部を有し、前記先端側取付部および前記絶縁先端カバー部材の被取付部のいずれか他方は、前記先端側嵌合凸部と嵌合する先端側嵌合凹部を有するものである。
【発明の効果】
【００１０】
本発明によれば、本体部材を覆う絶縁本体カバー部材と、先端部材を覆う絶縁先端カバー部材と、絶縁本体カバー部材と絶縁先端カバー部材とに跨るように設けられた弾性変形可能な絶縁カバー弾性部材とを備えるため、被締付ねじを設定締付トルク値に達するまで安全に締め付けることができる。
【図面の簡単な説明】
【００１１】
【図１】本発明の一実施の形態に係る絶縁トルクレンチの部分縦断面図である。
【図２】同上絶縁トルクレンチの全体縦断面図である。
【図３】同上絶縁トルクレンチの全体平面図である。
【発明を実施するための形態】
【００１２】
本発明の一実施の形態について図面を参照して説明する。
【００１３】
図１ないし図３において、１は絶縁トルクレンチで、この絶縁トルクレンチ１は、例えば車両等の製造や修理の際に使用され、ナットやボルト等の被締付ねじａを予め設定された設定締付トルク値で締め付けるための絶縁工具である。
【００１４】
絶縁トルクレンチ１は、水平方向長手状の円筒状をなす断面円形状の管状の金属製の本体部材２と、この本体部材２の先端部に固設的に設けられた上下方向の金属製の支軸部材３と、この支軸部材３にてこの支軸部材３を中心として回動可能に支持された金属製の先端部材（回動部材）４と、この先端部材４の先端部にて上下方向軸線Ｘを中心として回転可能に保持された金属製の回転部材５とを備えている。
【００１５】
なお、回転部材５は、先端部材４に対して一方向のみに回転可能であり、他方向への回転が回転規制手段（図示せず）によって規制されるようになっている。また、この回転規制手段の回転規制方向は切り換え可能となっている。さらに、図２に示されるように、絶縁トルクレンチ１の使用時には、回転部材５の下端部に、被締付ねじａの大きさに応じたソケットｂが脱着可能に装着される。
【００１６】
本体部材２は、先端面開口８および基端面開口９を有する両端面開口状の細長円筒状に形成されている。本体部材２の基端部の外周面には、作業者（締付作業者）によって把持される筒状のゴム製或いは樹脂製の絶縁グリップ部材11が取り付けられている。
【００１７】
本体部材２の先端部の上下には軸用孔部12，13が形成され、この軸用孔部12，13に丸軸状の支軸部材３が嵌合挿通されている。支軸部材３の上端部3aは、本体部材２の上側の軸用孔部12から上方に向かって突出し、金属製の軸カバー部材14にて覆われている。この上端部3aの外面と軸カバー部材14の内面との間には、空間部18が存在する。また、支軸部材３の抜止用の下端部3bは、本体部材２の下側の軸用孔部13から下方に向かって突出し、金属製の軸カバー部材15にて覆われている。この下端部3bの外面と軸カバー部材15の内面との間には、空間部19が存在する。
【００１８】
なお、本体部材２の先端部の内周面には金属製の筒状部材21が嵌着され、この筒状部材21の軸用孔部22に支軸部材３が嵌合挿通されている。この筒状部材21の内周面と先端部材４の外周面との間には、所定寸法の隙間23がある。
【００１９】
先端部材４は、本体部材２内に位置する長手状部24と、この長手状部24の先端に一体に設けられ本体部材２の先端面開口８から突出して本体部材２外に位置する筒状の保持部25とを有している。そして、先端部材４の先端部である保持部25によって、回転部材５が上下方向軸線Ｘを中心として回転可能に保持されている。また、長手状部24の先端近傍には軸用孔部26が形成され、この軸用孔部26に支軸部材３が嵌合挿通され、先端部材４が本体部材２に対して支軸部材３を中心として回動可能となっている。
【００２０】
回転部材５は、先端部材４の保持部25にて上下方向軸線Ｘを中心として回転可能に保持された被保持部27と、この被保持部27の下端に一体に設けられた中間軸部28と、この中間軸部28の下端に一体に設けられた角柱状の角軸部29とを有している。そして、絶縁トルクレンチ１の使用時には、回転部材５の角軸部29をソケットｂの角孔部b1に嵌入し、このソケットｂのねじ嵌合孔b2と被締付ねじａとを互いに嵌合させる（図２参照）。
【００２１】
また、絶縁トルクレンチ１は、本体部材２の外周面を覆う細長円筒状の絶縁本体カバー部材31と、先端部材４の保持部25の外面全体を覆うとともに回転部材５の中間軸部28の外周面を覆う筒状の絶縁先端カバー部材32と、絶縁本体カバー部材31の外周面と絶縁先端カバー部材32の外周面とに跨るように設けられた弾性変形可能な筒状の絶縁カバー弾性部材33とを備えている。すなわち例えば絶縁本体カバー部材31の先端部と絶縁先端カバー部材32の基端部とが互いに近接し、これら互いに近接する両端部間にわたって絶縁カバー弾性部材33が取り付けられている。
【００２２】
なお、絶縁本体カバー部材31および絶縁先端カバー部材32は、いずれも例えば比較的硬質な樹脂材料（例えばポリプロピレン等）やゴム材料にてそれぞれ一体に形成されている。絶縁カバー弾性部材33は、カバー部材31，32よりも柔軟性のある軟質の樹脂材料やゴム材料にて一体に形成されている。この絶縁カバー弾性部材33は、先端部材４の本体部材２に対する回動の際に、数ミリ程度、僅かに弾性変形する。
【００２３】
絶縁本体カバー部材31は、本体部材２の基端部以外の外周面に取り付けられている。絶縁本体カバー部材31の先端部の上下には孔部36，37が形成され、上側の孔部36には円板状の軸カバー部材14が嵌着され、下側の孔部37には円板状の軸カバー部材15が嵌着されている。これら上下の軸カバー部材14，15の外面は、絶縁カバー弾性部材33にて覆われている。
【００２４】
そして、軸カバー部材14，15および支軸部材３は、絶縁カバー弾性部材33の軸方向中央部の内方に配設されている。なお、絶縁カバー弾性部材33の軸方向端縁と金属製の軸カバー部材14，15との間は所定距離以上離れており、作業者が絶縁カバー弾性部材33の軸方向端縁に触れていても感電しないようになっている。
【００２５】
絶縁先端カバー部材32は、先端部材４の保持部25の外面に取り付けられている。絶縁先端カバー部材32は、絶縁本体カバー部材31の先端面と若干の間隙40を介して近接対向する円板状の板状部41と、この板状部41に一体に設けられた上下方向の筒状部42とを有している。
【００２６】
筒状部42は、上端面開口43および下端面開口44を有する両端面開口状の円筒状に形成されている。この筒状部42は上側筒状部分42aと下側筒状部分42bとにて構成され、この上側筒状部分42aが先端部材４の保持部25の外面に取り付けられている。下側筒状部分42bと回転部材５の中間軸部28との間には空間部47が存在する。また、筒状部42の上端部の凹溝部46にはゴム製或いは樹脂製の蓋部材45が取り付けられ、この蓋部材45にて上端面開口43が閉じられている。回転部材５の角軸部29は、筒状部42の下端面開口44から下方に向かって突出している。
【００２７】
絶縁カバー弾性部材33は、両カバー部材31，32の各外周面に跨って取り付けられている。絶縁カバー弾性部材33は、水平方向に軸方向を有する両端面開口状の円筒状に形成されている。絶縁カバー弾性部材33は、絶縁本体カバー部材31の被取付部51の外周面に取り付けられた本体側取付部52を軸方向一端側に有し、かつ、絶縁先端カバー部材32の被取付部53の外周面に取り付けられた先端側取付部54を軸方向他端側に有している。
【００２８】
なお、絶縁本体カバー部材31の被取付部51は、絶縁本体カバー部材31の絶縁先端カバー部材32側の端部である先端部にて構成されている。絶縁先端カバー部材32の被取付部53は、絶縁先端カバー部材32の絶縁本体カバー部材31側の端部である基端部（板状部41）にて構成されている。
【００２９】
そして、絶縁本体カバー部材31の被取付部51は、この被取付部51の外周面に凸環状に形成された１つのフランジ状の本体側嵌合凸部56を有している。絶縁カバー弾性部材33の本体側取付部52は、この本体側取付部52の内周面に凹環状に形成され本体側嵌合凸部56と嵌合する１つの凹溝状の本体側嵌合凹部57を有している。つまり、本体側嵌合凸部56と本体側嵌合凹部57との嵌合のみによって、本体側取付部52が絶縁本体カバー部材31の被取付部51に取り付けられている。
【００３０】
なお、本体側取付部52が本体側嵌合凸部56を有しかつ被取付部51が本体側嵌合凹部57を有するようにしてもよい。
【００３１】
また、絶縁先端カバー部材32の被取付部53は、この被取付部53の外周面に凸環状に形成された１つのフランジ状の先端側嵌合凸部58を有している。絶縁カバー弾性部材33の先端側取付部54は、この先端側取付部54の内周面に凹環状に形成され先端側嵌合凸部58と嵌合する１つの凹溝状の先端側嵌合凹部59を有している。つまり、先端側嵌合凸部58と先端側嵌合凹部59との嵌合のみによって、先端側取付部54が絶縁先端カバー部材32の被取付部53に取り付けられている。
【００３２】
なお、先端側取付部54が先端側嵌合凸部58を有しかつ被取付部53が先端側嵌合凹部59を有するようにしてもよい。
【００３３】
本体側嵌合凹部57は、断面４角形状の凹溝状のもので、絶縁カバー弾性部材33の内周面の軸方向一端近傍に形成されている。先端側嵌合凹部59は、断面４角形状の凹溝状のもので、絶縁カバー弾性部材33の内周面の軸方向他端近傍に形成されている。絶縁カバー弾性部材33の内周面の軸方向中央部には、軸カバー部材14，15と対向する環状凹部60が形成されている。
【００３４】
また、絶縁カバー弾性部材33の外周面が波形状に形成されている。つまり、絶縁カバー弾性部材33の外周面の軸方向中央部が、軸方向に沿って進む波状面61にて構成されている。
【００３５】
また一方、管状の本体部材２内には、被締付ねじａに対する締付トルクが設定締付トルク値未満では先端部材４の本体部材２に対する回動を規制し、かつ、その締付トルクが設定締付トルク値に達すると先端部材４の本体部材２に対する回動を許容して作業者に設定締付トルク値に達したことを知らせる締付トルク設定手段（図示せず）が配設されている。
【００３６】
この締付トルク設定手段は、例えば実公昭５９−３８９９４号公報等に記載された周知のもので、コイル状の圧縮ばねおよびばね受け体等にて構成されている。なお、設定締付トルク値は、本体部材２に回動可能に設けられた筒状の操作部材63の回動操作により調整可能となっている。
【００３７】
次に、上記絶縁トルクレンチ１の作用等を説明する。
【００３８】
例えばハイブリッドや電気自動車等の車両の製造等において、絶縁トルクレンチ１を使用する際には、作業者は、まず、締め付け対象である被締付ねじａの大きさに応じたソケットｂを、回転部材５の角軸部29に装着する。
【００３９】
次いで、作業者は、被締付ねじａとソケットｂのねじ嵌合孔b2とを互いに嵌合させた後、例えば一方の手で絶縁グリップ部材11を把持しかつ他方の手で絶縁カバー弾性部材33を把持した状態で、本体部材２の回動操作を繰り返し行うことにより、回転部材５を先端部材４に対して被締付ねじａとともに一方向である締め付け方向に回転させる。
【００４０】
このとき、作業者の手が触れる部分は、鉄等の金属材料からなるトルクレンチ本体部分を覆う絶縁材料（絶縁グリップ部材11、絶縁本体カバー部材31、絶縁先端カバー部材32および絶縁カバー弾性部材33）からなる被覆部分であるから、電路付近での締め付け作業であっても、誤って感電する危険性がない。
【００４１】
こうして、被締付ねじａが安全に締め付けられるが、この被締付ねじａに対する締付トルク（先端部材４に作用するトルク）が予め設定された設定締付トルク値に達すると、締付トルク設定手段の圧縮ばねの付勢力に抗して先端部材４が本体部材２に対して支軸部材３を中心として少しだけ回動し、またこの先端部材４の回動に伴って絶縁カバー弾性部材33が僅かに弾性変形する。
【００４２】
その結果、先端部材４の打撃部が本体部材２の内周面の一部を打撃して報知音が発生し、この発生した報知音によって作業者は被締付ねじａへの締付トルクが設定締付トルク値に達したことを知ることとなる。
【００４３】
そして、このような絶縁トルクレンチ１によれば、本体部材２を覆う絶縁本体カバー部材31と、先端部材４を覆う絶縁先端カバー部材32と、これら絶縁本体カバー部材31と絶縁先端カバー部材32とに跨るように設けられた弾性変形可能な絶縁カバー弾性部材33とを備えるため、電路付近での締め付け作業であっても感電の危険性がなく、被締付ねじａを設定締付トルク値に達するまで安全に締め付けることができる。
【００４４】
また、絶縁カバー弾性部材33の本体側取付部52および絶縁本体カバー部材31の被取付部51のいずれか一方が本体側嵌合凸部56を有しかつそのいずれか他方が本体側嵌合凸部56と嵌合する本体側嵌合凹部57を有し、また、絶縁カバー弾性部材33の先端側取付部54および絶縁先端カバー部材32の被取付部53のいずれか一方が先端側嵌合凸部58を有しかつそのいずれか他方が先端側嵌合凸部58と嵌合する先端側嵌合凹部59を有するため、被締付ねじａを締め付けている際に絶縁カバー弾性部材33がずれて外れる不具合を防止でき、被締付ねじａの締め付け作業をより一層安全に行うことができる。
【００４５】
さらに、絶縁カバー弾性部材33の外周面が波形状に形成されているため、絶縁カバー弾性部材33を円滑に弾性変形させることができ、しかも、作業者が絶縁カバー弾性部材33の外周面を把持した際に手が滑りにくく、締め付け作業を更により一層安全に行うことができる。
【００４６】
なお、絶縁トルクレンチ１は、本体側嵌合凸部56と本体側嵌合凹部57との嵌合のみによって本体側取付部52が被取付部51に取り付けられ、先端側嵌合凸部58と先端側嵌合凹部59との嵌合のみによって先端側取付部54が被取付部53に取り付けられた構成には限定されず、例えばその嵌合に加えて接触剤等が用いられて、絶縁カバー弾性部材33が両カバー部材31，32に跨って固定的に設けられた構成等でもよい。
【００４７】
また、例えば複数の本体側嵌合凸部56と複数の本体側嵌合凹部57とが互いに嵌合し、複数の先端側嵌合凸部58と複数の先端側嵌合凹部59とが互いに嵌合する構成等でもよい。
【００４８】
さらに、回転部材５が先端部材４に回転可能に設けられた構成には限定されず、例えば先端部材がレンチ部を有し、この先端部材のレンチ部で被締付ねじａを締め付ける構成等でもよい。
【符号の説明】
【００４９】
１    絶縁トルクレンチ
２    本体部材
３    支軸部材
４    先端部材
31    絶縁本体カバー部材
32    絶縁先端カバー部材
33    絶縁カバー弾性部材
51    被取付部
52    本体側取付部
53    被取付部
54    先端側取付部
56    本体側嵌合凸部
57    本体側嵌合凹部
58    先端側嵌合凸部
59    先端側嵌合凹部
【図１】
0005850666.tif 000002
【図２】
0005850666.tif 000003
【図３】
0005850666.tif 000004